(57)【要約】【課題】  それぞれの犬の首に適したサイズに調整可能で、かつ犬に嫌がれることなく犬の首に容易に掛けることの可能な調教に適した犬の首輪を提供する。【解決手段】  犬の首輪１０を犬の首に装着するに際しては、まずベルト体１の他端１ｂを掛止金具１９から抜くことで開放する。そして、このベルト体１及びベルト体１１を犬の首に回した後、ベルト体１の他端１ｂを掛止金具１９の角形穴２０ａ、２０ｂに通し、適当な犬の首回りのサイズに合わせた形で掛止孔７を選択し、フック２１の一端をこの掛止孔７に対して通して止める。このことにより、犬が嫌がることなく犬の首輪１０を犬の首に適当なサイズを選択しつつ装着することができる。犬の首回りを適度な強さに瞬間的に絞めることができるようになるため、調教に際して非常に有効である。【選択図】        図１
2006238842.tif 000002
【特許請求の範囲】
【請求項１】
第１のベルト体と、
該第１のベルト体に対し別体に配設された第２のベルト体と、
該第２のベルト体に対する前記第１のベルト体の位置を調整しつつ連結可能な位置調整・連結手段と、
前記第１のベルト体及び前記第２のベルト体の各端部にそれぞれ通されて環状に連結された環状連結部材とを備えたことを特徴とする犬の首輪。
【発明の詳細な説明】
【技術分野】
【０００１】
本発明は犬の首輪に係わり、特にそれぞれの犬の首に適したサイズに調整可能で、かつ犬に嫌がれることなく犬の首に容易に掛けることの可能な調教に適した犬の首輪に関する。
【背景技術】
【０００２】
従来、犬の首輪として特許文献１及び特許文献２に記載のものが知られている。特許文献１の犬の首輪では、首輪本体の端は開放されており、それぞれの端部にはリングが取り付けられている。そして、このリングには緩衝鎖が通されている。緩衝鎖は、犬の首回りのサイズに対して一定の余裕のでるように、かつリングを通されて環状に一本につながるように形成されている。緩衝鎖の端部には係止具が紐体と接続可能なように配設されている。
【０００３】
ところで、特許文献１に記載の犬の首輪では、犬の首回りに一定の余裕のでるように緩衝鎖が配設されており、首輪本体を開き、犬の頭から首輪本体を挿入する必要があるが、この首輪本体を入れようとすると嫌がる犬が存在していた。
【０００４】
一方、特許文献２に記載の犬の首輪では、この緩衝鎖を環状な状態から開放可能なように緩衝鎖の端部にナスカンを取り付けている。そして、このナスカンの端部が係止具であるリングに対して係止自在なようになっている。
【０００５】
特許文献２に記載の犬の首輪では、このように、ナスカンによる係止を解除することで緩衝鎖をリングから取り外したり、あるいは緩めることが可能である。そして、緩衝鎖をリングから取り外した場合には、犬の首の横から首輪本体を取り付けることができる。このため、特許文献２に記載の犬の首輪では、犬が頭から首輪本体を入れられることがなくなるため、嫌がる犬はほとんどなくなる。
【０００６】
ところで、犬の首輪を調教用として用いた場合に、犬の首輪を適度な強さに瞬間的に絞めることで音やショックを与える必要がある。この場合、特許文献１に記載の犬の首輪では、犬の首回りのサイズに適したサイズが選択されることになるので、頭の大きさと首回りのサイズの差が大きい犬に対しては締付に対する効きが悪く調教が効率的に行えないおそれがあった。
【０００７】
また、このように、頭の大きさと首回りのサイズの差が大きい犬のことも考慮すると、特許文献２に記載の犬の首輪では、かなりの種類の首輪を事前に用意する必要があり、在庫を上手に管理することが困難となるおそれがあった。
【０００８】
【特許文献１】特開２００２−１１０号公報
【特許文献２】実用新案登録第３０９２９５３号公報
【発明の開示】
【発明が解決しようとする課題】
【０００９】
本発明はこのような従来の課題に鑑みてなされたもので、それぞれの犬の首に適したサイズに調整可能で、かつ犬に嫌がれることなく犬の首に容易に掛けることの可能な調教に適した犬の首輪を提供することを目的とする。
【課題を解決するための手段】
【００１０】
このため本発明（請求項１）は、第１のベルト体と、該第１のベルト体に対し別体に配設された第２のベルト体と、該第２のベルト体に対する前記第１のベルト体の位置を調整しつつ連結可能な位置調整・連結手段と、前記第１のベルト体及び前記第２のベルト体の各端部にそれぞれ通されて環状に連結された環状連結部材とを備えて構成した。
【００１１】
位置調整・連結手段により、第２のベルト体に対する第１のベルト体の位置を調整しつつ第１のベルト体と第２のベルト体とを連結可能である。このため、犬の首輪を各犬の首に最適なサイズを選択しつつ装着することができる。従って、犬が嫌がることはなくなる。そして、この位置調整・連結手段により、あらゆる犬の首回りサイズに対して適用可能となるので、この犬の首輪の一種類のみを用意すれば足り、在庫管理が容易になる。頭の大きさと首回りのサイズの差が大きい犬に対しても容易に首の横から装着が可能である。
【００１２】
但し、頭の大きさと首回りの大きさに余り大きな差異のない犬に対しては、本発明の首輪を連結状態のままそのまま頭から挿入させるようにしてもよい。この場合であっても、環状連結部材の遊びにより犬が装着を嫌がることは少なくなる。
【００１３】
そして、この犬の首輪を調教用として用いた場合に、犬の首輪は通常では緩く犬の首回りに装着されているが、この状態から各ベルト体若しくは環状連結部材とに接続された紐体を軽く引くことで犬の首回りを適度な強さに瞬間的に絞めることができるようになる。このため、緩急に配慮した犬の首を傷めることなく適当なショックを犬に対して与えることができ、調教に際して非常に有効である。また、このショックは適当なものなので、飼い主が犬の暴走により怪我等をすることもない。
【００１４】
更に、頭と首の差が大きい犬に対しても、ピッタリと犬の首回りに装着可能であるためほぼ確実なショックを犬に対して与えることができる。従って、効きが悪く犬が言うことを聞かないというようなことはなくなる。
【発明の効果】
【００１５】
以上説明したように本発明（請求項１）によれば、第２のベルト体に対する第１のベルト体の位置を調整しつつ第１のベルト体と第２のベルト体とを連結可能としたので、犬の首輪を犬の首に適当なサイズを選択しつつ装着することができる。従って、この犬の首輪を調教用として用いた場合に、犬が嫌がることはなくなる。
【発明を実施するための最良の形態】
【００１６】
以下、本発明の実施形態について説明する。本発明の実施形態の構成図を図１に示す。図１において、犬の首輪１０を構成するベルト体１は平形状であり、革製、布製等の素材で形成されている。このベルト体１の一端１ａは折り返された状態で止めビス３により止められている。そして、この一端１ａには、この折り返しに伴い通し穴５が形成されている。一方、ベルト体１の他端１ｂ側には掛止孔７が複数個開けられている。
【００１７】
また、ベルト体１１もベルト体１と同様に平形状であり、ベルト体１と同じ革製、布製等の素材で形成されている。このベルト体１１の一端１１ａも折り返された状態で止めビス１３により止められている。一方、ベルト体１１の他端１１ｂ側も、一端１１ａと同様に折り返された状態で図示しない止めビスにより止められている。一端１１ａ側には折り返しにより通し穴１５が形成され、一方、他端１１ｂ側には通し穴１７が形成されている。この他端１１ｂ側の通し穴１７には掛止金具１９の中央部材１９ａが貫通されている。この掛止金具１９は、「日」の字状に形成され、かつこの「日」の字状の中央に中央部材１９ａが、また外周に角形の周縁部材１９ｂが形成されている。そして、この中央部材１９ａと周縁部材１９ｂ間には角形穴２０ａ、２０ｂがそれぞれ形成されている。但し、掛止金具１９には中央部材１９ａが存在しなくてもよい。
【００１８】
図示されていないが、中央部材１９ａの中心部には、揺動自在のフック２１の一端が止められ、このフック２１は、ベルト体１１の他端１１ｂに開けられた図示しない孔を通して突設され、掛止金具１９の周縁部材１９ｂに停止されるようになっている。
【００１９】
また、通し穴５及び通し穴１５にはＤ字状リング２３及びＤ字状リング２５が配設されている。更に、通し穴１５には角状リング２６が止められている。そして、このＤ字状リング２３及びＤ字状リング２５には緩衝鎖２７が通され、緩衝鎖２７の両端部にはリング２９が取り付けられ、図示しない紐体と接続可能なようになっている。また、ベルト体１には補助リング３１が通されており、この補助リング３１には飾りやネームプレート等が取り付け可能なようになっている。
【００２０】
そして、ベルト体１の他端１ｂは、掛止金具１９の角形穴２０ａ、２０ｂにそれぞれ通された後、フック２１を掛止孔７の一つに貫通させることでベルト体１のずれを防止できるようになっている。また、ベルト体１の他端１ｂは、角状リング２６に通されることでベルト体１の他端１ｂ側がベルト体１１側に収納されるようになっている。
【００２１】
次に、本発明の実施形態の動作を説明する。
犬の首輪１０を犬の首に装着するに際しては、まずベルト体１の他端１ｂを掛止金具１９から抜くことで開放する。そして、このベルト体１及びベルト体１１を犬の首に回した後、ベルト体１の他端１ｂを掛止金具１９の角形穴２０ａ、２０ｂに通し、適当な犬の首回りのサイズに合わせた形で掛止孔７を選択し、フック２１の一端をこの掛止孔７に対して通して止める。
【００２２】
このことにより、犬が嫌がることなく犬の首輪１０を犬の首に適当なサイズを選択しつつ装着することができる。掛止孔７を選択することで、あらゆる犬の首回りサイズに対して適用可能となるので、従来よりも少ない種類の首輪１０を用意すれば足り、在庫管理が容易になる。頭の大きさと首回りのサイズの差が大きい犬に対しても容易に首の横から装着が可能である。
【００２３】
但し、頭の大きさと首回りの大きさに余り大きな差異のない犬に対しては、ベルト体１の他端１ｂを掛止金具１９から抜かずにそのまま頭から挿入させるようにしてもよい。この場合であっても、緩衝鎖２７の長さに余裕があるため犬が装着を嫌がることなく行える。
【００２４】
そして、この犬の首輪１０を調教用として用いた場合に、犬の首輪１０は通常では緩く犬の首回りに装着されているが、この状態から紐体を軽く引くことで犬の首回りを適度な強さに瞬間的に絞めることができるようになる。また、この際には、緩衝鎖２７がＤ字状リング２５に当たり鎖特有の金属音を発するので、この音による合図で犬は言うことを聞くようになる。更に、ベルト体１は皮や布、ナイロン等で形成されているので、犬の首を痛めることがない。
このように、緩急に配慮した形で犬の首を傷めることなく適当なショックを犬に対して与えることができ、調教に際して非常に有効である。また、このショックは適当なものなので、飼い主が犬の暴走により怪我等をすることもない。
【００２５】
更に、頭と首の差が大きい犬に対してもピッタリと犬の首回りに装着可能であるためほぼ確実なショックを犬に対して与えることができる。従って、効きが悪く犬が言うことを聞かないというようなことはなくなる。
【００２６】
更に、ベルト体１、１１、Ｄ字状リング２３及びＤ字状リング２５、掛止金具１９、リング２９、角状リング２６、補助リング３１及び緩衝鎖２７は装飾としても優れたもの、かつおしゃれなものに容易に構成可能であり、飼い主により一層の安らぎを与えることができる。
【図面の簡単な説明】
【００２７】
【図１】本発明の実施形態の構成図（斜視図）
【符号の説明】
【００２８】
１、１１    ベルト体
７          掛止孔
１９        掛止金具
２１        フック
２３、２５  Ｄ字状リング
２７        緩衝鎖
２９        リング
【図１】
2006238842.tif 000003